(57)【特許請求の範囲】
【請求項１】
商用電源を直流電源に変換する常用時電源回路と、
補助電源を有し、前記商用電源からの電源供給がないときに前記補助電源から光源に電源を供給する非常時電源回路と、
前記補助電源から供給される電源によって前記光源を点灯させて、前記補助電源が寿命であるかを点検する制御回路と、
該制御回路が前記補助電源を点検し、前記補助電源が寿命であると判断したとき、異常であることを表示する充電モニタと、
該制御回路が前記補助電源を点検しているとき、点検中であることを表示する点検モニタと、
を備えた
ことを特徴とする誘導灯点灯装置。
【請求項２】
前記充電モニタは、
該制御回路が前記補助電源を点検し、前記補助電源が寿命であると判断したとき、点滅する
ことを特徴とする請求項１記載の誘導灯点灯装置。
【請求項３】
商用電源を直流電源に変換する常用時電源回路と、
補助電源を有し、前記商用電源からの電源供給がないときに前記補助電源から光源に電源を供給する非常時電源回路と、
前記補助電源から供給される電源によって前記光源を点灯させて、前記補助電源が寿命であるかを点検する制御回路と、
該制御回路が前記補助電源を点検しているとき、点検中であることを表示する点検モニタと、
を備え、
前記光源は２個以上のＬＥＤを直列に接続し、該列が１列により、又は、２列以上並列に接続して構成され、
前記直列に接続して構成された前記光源に流れる電流を設定されている電流値になるようにする電流制限回路と、
前記光源の点灯状態を検出する光源状態検出回路と、
を備え、
前記制御回路は、
前記光源状態検出回路の検出出力が前記光源の一部のＬＥＤが短絡異常であることを示すとき、前記商用電源からの電源供給であるときは短絡異常の前記ＬＥＤを含む前記直列回路に直列に接続された前記電流制限回路に流れる電流を遮断して、前記光源の一部のＬＥＤの異常が発生していることを報知し、前記補助電源からの電源供給であるときは短絡異常の前記ＬＥＤを含む前記直列回路に直列に接続された前記電流制限回路に電流を流し、短絡異常の前記ＬＥＤを含む前記直列回路に直列接続された異常の発生していない前記ＬＥＤを点灯させ、
前記商用電源から電源供給がされており、前記光源及び前記補助電源の点検を行なうとき、該商用電源からの供給を一時的に遮断して、前記補助電源からの電源供給に切り換えて前記光源を点灯させて前記光源及び前記補助電源の点検を行なう
ことを特徴とする誘導灯点灯装置。
【請求項４】
前記制御回路は、前記補助電源の点検中において、所定時間、前記補助電源から前記光源に電力を供給させる
ことを特徴とする請求項１〜３のいずれか１項に記載の誘導灯点灯装置。
【発明の詳細な説明】
【技術分野】
【０００１】
本発明は、商用電源またはバッテリ電源を用いて避難通路等の案内表示を行う誘導灯点灯装置に関し、特に光源にＬＥＤを用いた点灯装置に関するものである。
【背景技術】
【０００２】
従来、冷陰極ランプを使用した誘導灯装置がある（例えば、特許文献１参照）。誘導灯装置は、近年、冷陰極ランプを用いたものが一般的となっている。
【０００３】
また、複数のＬＥＤを点灯させるようにした照明装置がある（例えば、特許文献２参照）。この照明装置は、バッテリ等の変動範囲の大きな電源を用いて複数のＬＥＤを点灯させるようにしたものである。すなわち、バッテリ等の直流電源にスイッチング素子とＬＥＤユニットとを直列に接続するような簡単な回路構成で、ＬＥＤユニットに流れる電流の積分値が一定となるようにスイッチング素子をオン・オフ制御するようにしている。
【先行技術文献】
【特許文献】
【０００４】
【特許文献１】特開２００１−１４９０９号公報（第７頁、第１図）
【特許文献２】特開２００４−３９２８９号公報（第４頁、第１図）
【発明の概要】
【発明が解決しようとする課題】
【０００５】
上記の誘導灯装置は、高電圧・高周波で冷陰極ランプを点灯させているため、装置と冷陰極ランプとの配線を極力短くしなければ、浮遊容量の影響で光の出力が低下してしまうという問題があった。また、高電圧であるために冷陰極ランプに異常が発生すると、回路全体を遮断して感電等の事故を防ぐ必要があり、停電等の災害時に点灯することができないという問題もあった。さらに、回路の点検をリモコン（遠隔制御装置）等で操作する場合には、冷陰極ランプや高電圧のノイズを考慮しないとリモコン等が誤動作することがあった。
【０００６】
ところで、商用電源からの電源供給中において自己点検や自動点検を行う誘導灯装置がある。しかしながら、この誘導灯装置は、自己点検や自動点検中であることを表示する手段を有していないために、誘導灯装置が自己点検や自動点検によって点灯しているのか、停電や接続不備等によって非常点灯しているのかがわからないという問題があった。すなわち、誘導灯装置が自己点検や自動点検で点灯しているにもかかわらず、非常点灯しているとの誤解や混乱を招くことがあった。
【０００７】
一方、誘導灯装置は、避難口の場所や避難通路を認知させるために、非常時に点灯することが要求されている。したがって、光源（冷陰極ランプやＬＥＤ）に異常が発生したとしても、回路が破壊されない程度の異常であれば点灯させることが望ましい。しかしながら、上記の照明装置は、冷陰極ランプを点灯させるものである場合、光源に異常が発生したときには回路を保護するために冷陰極ランプを消灯するようになっていた。
【０００８】
本発明は、上記のような問題を解決するためになされたもので、第一の目的は、誘導灯点灯装置の光源が自己点検や自動点検で点灯しているのか、停電や接続不備等によって非常点灯しているのかが判別できる誘導灯点灯装置を提供することである。
第二の目的は、停電や災害等の非常時において、光源に異常が発生したときでも、異常の発生していない光源を点灯させて誘導灯としての役目を最優先する誘導灯点灯装置を提供することを目的とする。
【課題を解決するための手段】
【０００９】
本発明に係る誘導灯点灯装置は、商用電源を直流電源に変換する常用時電源回路と、補助電源を有し、商用電源からの電源供給がないときに補助電源から光源に電源を供給する非常時電源回路と、補助電源から供給される電源によって光源を点灯させて、補助電源が寿命であるかを点検する制御回路と、制御回路が補助電源を点検し、補助電源が寿命であると判断したとき、異常であることを表示する充電モニタと、制御回路が補助電源を点検しているとき、点検中であることを表示する点検モニタと、を備えたことを特徴とする。
【発明の効果】
【００１０】
本発明によれば、誘導灯点灯装置の光源が自己点検や自動点検で点灯しているのか、停電や接続不備等によって非常点灯しているのかが判別できるので、光源が自己点検や自動点検で点灯しているにもかかわらず、非常点灯しているとの誤解や混乱の発生を防止することができる。
【図面の簡単な説明】
【００１１】
【図１】実施の形態１に係る誘導灯点灯装置の一例を示す正面図である。
【図２】誘導灯点灯装置の設置状態の一例を示す設置状態図である。
【図３】誘導灯点灯装置の回路構成を示す回路図である。
【図４】定電流回路の構成例を示す回路図である。
【発明を実施するための形態】
【００１２】
以下、本発明の実施の形態を図面に基づいて説明する。
図１は、誘導灯点灯装置５０の一例を示す正面図である。誘導灯点灯装置５０は、ランプ６を内蔵した表示板ＡＳＳＹ１２と、ランプ６からの光を受ける導光性を有する表示パネル１１と、後述する表示手段（表示モニタ）８と、後述する各種回路及びバッテリ３等が内蔵されている本体１３とで構成されている。ここでは、表示手段８が表示板ＡＳＳＹ１２の上側に設けられている場合を例に示すが、これに限定するものではなく、横側や下側に設けられていてもよい。
【００１３】
図２は、誘導灯点灯装置５０の設置状態の一例を示す設置状態図である。誘導灯点灯装置５０は、停電や災害等が発生した場合の非常時に、非常口や避難通路等の存在を認識させるためのものであるので、非常時に避難者が容易に認識できる場所に設置するよう法律で定められている。ここでは、誘導灯点灯装置５０を天井に設置した場合を例に示しているが、これに限定するものではなく、壁や床に設置してもよい。
【００１４】
図３は、本発明の実施の形態に係る誘導灯点灯装置５０の回路構成を示す回路図である。誘導灯点灯装置５０は、常用時電源回路１と、充電回路２と、バッテリ３と、非常時電源回路４と、ランプ状態検出回路５と、ランプ６と、制御回路７と、表示手段８と、定電流回路９とで構成されている。本発明に係る誘導灯点灯装置５０には、光源となるランプ６にＬＥＤを用いたので、高電圧・高周波で点灯する必要がなくなり、安全性・信頼性の向上、コンパクト化を実現することが可能になる。なお、停電や災害等で商用電源から電源供給することができないときを非常時と称し、それ以外のときを常用時と称することとする。
【００１５】
（常用時電源回路１）
常用時電源回路１は、降圧回路であり、平滑用コンデンサＣ２にＦＥＴ等のスイッチング素子ＳＷを介して１次巻線Ｎ１が並列に接続されるトランスＴ１と、トランスＴ１の２次巻線Ｎ２にダイオードＤ１を介して接続される２次側平滑用コンデンサＣ１とから成り、２次側で発生した交流をダイオードＤ１で整流、コンデンサＣ１で平滑し、直流電圧を得るものである。ここでは、フライバック式の回路を例に示しているが、これに限定するものではなく、フォワード式の回路でもよく、商用電源をそのままトランスで降圧するレギュレータ電源方式でもよい。
【００１６】
（常用時電源遮断回路１０）
誘導灯では、法律により、定格電源電圧の８５〜４０％の間で、非常点灯に切り替えるように定められている。常用時電源遮断回路１０は、常用電源の電圧を監視し、電源が停電等で低下してきたときに常用時電源回路１を強制的に遮断し常用時電源回路１の２次側に出力がでないようして、非常時動作に円滑に移行するようするものである。
【００１７】
（充電回路２）
常用時電源回路１で整流平滑された直流電圧でバッテリ３を充電するものである。
【００１８】
（バッテリ３）
バッテリ３は、充電回路２と直列に接続されており、商用電源Ｅからの電源供給がなくなった場合に商用電源Ｅを代替する非常時電源回路４に直流電源を供給するものである。このバッテリ３は、直流電源を蓄電できるものであればよく、とくに種類を限定するものではない。なお、バッテリ３が充電されているかどうかや、外れているかどうか等の充電状態は、後述する充電モニタで常に表示することになっている。
【００１９】
（非常時電源回路４）
非常時電源回路４は、非常時にバッテリ３からの直流電源をランプ６に供給するものである。すなわち、常用時電源回路１からの電源供給中に充電されたバッテリ３の直流電源を利用してランプ６を点灯させるのに適切な電圧を供給するようになっている。
【００２０】
（ランプ６）
ランプ６は、光源となるものであり、ここではＬＥＤを使用している。また、ランプ６は、ＬＥＤを直列にｎ個（ｎは２以上の整数）、並列にｍ列（ｍは１以上の整数）接続したＬＥＤモジュールとして構成されている。そうすれば、光源を細かく設定できるので、表示パネル１１の明るさ調整が容易に可能になる。
【００２１】
一般に、表示パネル１１の明るさを確保するためには、所定個数（たとえば、２個）以上のＬＥＤが要求されるために、ＬＥＤモジュールとして構成すれば、直列・並列の選択が容易になる。すなわち、出力電圧を低減するのであれば直列数を調整し、出力電流を低減するのであれば並列数を調整し、回路損失の軽減が容易に実現可能になる。なお、ランプ６は、各列毎に定電流回路９と接続している。
【００２２】
このように、ランプ６はＬＥＤモジュールとして構成されているために、ＬＥＤが１個でもオープン状態で破壊すると、そのＬＥＤが接続されている列の他のＬＥＤも消えてしまうことになる。したがって、このような場合には電力削減のためにその列への電力供給を停止するようになっている。また、ＬＥＤに異常が発生していることを表示手段８に表示するランプモニタを有している。
【００２３】
また、ランプ６は、ＬＥＤを直流電源で点灯するために浮遊容量の影響が少なく電流が外部に漏洩することがないので、ランプ６とそのほかの回路との距離を遠くすることが可能になる。さらに、ランプ６はＬＥＤを直列にｎ個接続するようになっているために、必要な電圧が特定低電圧以下で済むように設定している。したがって、基板上に部品を配置する際に、各部品の絶縁距離を最低限にすることが可能になり、基板のコンパクト化が実現できる。
【００２４】
（定電流回路９）
電流制限回路として機能する定電流回路９は、ランプ６の各列毎に接続されており、ランプ６に流れる直流電源の電流値を分流して後述の制御回路７に検出させるものである。すなわち、ランプ６の各列毎の定電流回路９に流れる電流は、制御回路７で検出されてランプ６の異常の有無が判断されるようになっている。なお、ランプ６の各列毎に接続されている定電流回路９は、各列毎に同一の回路構成としてもよく、また異なる回路構成としてもよい。また、定電流回路９の詳細については後述する（図４参照）。
【００２５】
（ランプ状態検出回路５）
光源状態検出回路として機能するランプ状態検出回路５は、ランプ６の各列毎に接続されている定電流回路９全体の総称である。ランプ６は、ＬＥＤモジュールとして構成されており、短絡破壊した素子の個数に応じて出力電圧が段階的に変化する。したがって、その出力電圧の変化を制御回路７が検出して、それらの変化に基づいてランプ６の状態を判断するようになっている。なお、構成部品の発熱を制御回路７が検出してランプ６の状態を判断するようにしてもよい。
【００２６】
（制御回路７）
制御回路７は、マイクロコンピュータ等の制御装置を備え、ランプ状態検出回路５から検出した電圧値に応じて各定電流回路９に流す電流を制御するものである。常用時に、ランプ状態検出回路５からの情報に基づいてランプ６に異常が発生していると判断したときは、常用時電源回路１からのランプ６への電源供給を停止させる。また、非常時に、ランプ状態検出回路５からの情報に基づいてランプ６に異常が発生していると判断したときは、その異常が発生しているＬＥＤ以外のＬＥＤを点灯させるように非常時電源回路４からの電源供給を継続させる。
【００２７】
ランプ６に短絡異常が発生すると、そのランプ６と接続している定電流回路９の構成部品（たとえば、各種抵抗、スイッチング素子）が故障することがある。それは、ランプ６の短絡破壊したＬＥＤ個数に応じて出力電圧が段階的に変化するために、定電流回路９の構成部品に通常よりも大きな損失が発生するからである。そして、構成部品の損失が大きくなると、構成部品の温度が上昇（発熱）し、それが原因となって故障することがある。
【００２８】
したがって、制御回路７は、常用時にランプ６の短絡異常が発生したときは、その異常が発生したランプ６と接続している定電流回路９の構成部品が故障しないように、定電流回路９に電流を流さないようになっている。つまり、異常が発生したランプ６の列に接続している定電流回路９への電源供給を停止するのである。このように、常用時であれば、定電流回路９の保護を優先するようになっている。また、異常の発生を表示手段８に表示する。
【００２９】
また、非常時にランプ６の短絡異常が発生したときは、定電流回路９の保護よりも、誘導灯としての役目を優先するために、異常が発生しているＬＥＤ以外のＬＥＤを点灯させるように定電流回路９への電源供給を継続させるようになっている。つまり、定電流回路９が完全に破壊されるに至るまでは、異常の発生していないＬＥＤを点灯させるのである。
【００３０】
一方、ランプ６を構成するＬＥＤの１個にでもオープン状態の異常が発生すると、そのＬＥＤと直列に接続している他のＬＥＤにも電流が流れないことになる。したがって、このような場合に制御回路７は、常用時であろうと非常時であろうと、そのＬＥＤが接続している定電流回路９への電源供給を停止させるようになっている。すなわち、短絡異常の場合とは異なり、電源供給しても無駄に消費するだけであるために、その無駄を軽減するために電源供給を停止するのである。
【００３１】
さらに、制御回路７は、常用時でもランプ６やバッテリ３の状態を検出する点検を行うようにする。この点検は、ランプ６やバッテリ３の状態を検出できればよく、とくに限定するものではない。たとえば、制御回路７にあらかじめ設定してある時間間隔で自動的に行う自己点検や作業員等から直接操作されて行う手動点検、遠隔制御装置から間接的に操作されて行う点検等であればよい。こうすれば、いつ発生するかわからない非常時に備えておけるからである。
【００３２】
ところで、ランプ６は、直流電源で点灯するようになっているためにランプからノイズが放射されることがなく、遠隔制御装置を設けたとしても、その遠隔制御装置から発信される赤外線信号等と干渉することがない。また、遠隔制御装置を設ければ、天井等の高所に誘導灯点灯装置５０が設置されていても、容易にバッテリ３の点検を実行することが可能になる。したがって、信頼性を向上することが可能になるとともに遠隔制御装置を使用した機種開発が容易になる。
【００３３】
（表示手段８）
表示手段８は、制御回路７が検出したランプ６やバッテリ３の状態を表示するものである。また、ランプ６やバッテリ３の点検中であることを表示するものである。ここでは、充電モニタａと、ランプモニタｂと、点検モニタｃとが備えられている場合を例に示している。充電モニタａは、充電回路２がバッテリ３を充電しているときに点灯するものである。ランプモニタｂは、ランプ６が異常若しくは寿命であるときに点灯するものである。点検モニタｃは、バッテリ３の点検やランプ６状態を点検しているときに点灯するものである。
【００３４】
このようにすれば、点検モニタｃはランプ６が非常時であるための点灯しているのか、点検を行っているために点灯しているのか容易に判断できるので、誤解や混乱を招くことがない。なお、このモニタの色彩は、何色であってもよく、特に限定するものではない。また、点滅させたり、文字で表したりしてもよい。さらに、異常を報知するときは、すべてのモニタを点滅させたり、ブザー等の音声で警報したりしてもよい。
【００３５】
図４は、定電流回路９の構成例を示す回路図である。
図４（ａ）に示す定電流回路９ａでは、ランプ６を構成する直列に接続されたＬＥＤは、スイッチング素子Ｑ１のコレクタに直列に接続している。この点をＶR とする。また、抵抗Ｒ７は、ＬＥＤとスイッチング素子Ｑ１と並列に接続し、抵抗Ｒ６と直列に接続している。制御回路７は、抵抗Ｒ７と抵抗Ｒ６との接続点（Ａ点）に接続している。すなわち、制御回路７は、このＡ点の電圧を検出することでランプ６の異常の有無を判断する。なお、ランプ６には常用時電源回路１、または、非常時電源回路４からの直流電源Ｖｉｎが供給されている。
【００３６】
スイッチング素子Ｑ１のエミッタは、スイッチング素子Ｑ２のコレクタに接続されている。このスイッチング素子Ｑ１及びスイッチング素子Ｑ２のベースは、それぞれ制御回路７に接続されている。すなわち、制御回路７は、Ａ点の電圧に基づいて電流制御する。スイッチング素子Ｑ１とスイッチング素子Ｑ２との間には、抵抗Ｒ２が直列に接続されている。抵抗Ｒ３は、抵抗Ｒ２と並列に接続されている。また、スイッチング素子Ｑ２のエミッタと抵抗Ｒ３と抵抗Ｒ６とは、ツェナーダイオードＤＺ１に接続するようになっている。このツェナーダイオードＤＺ１には、抵抗Ｒ１が直列に接続されている。
【００３７】
このように構成すれば、制御回路７は、Ａ点の電圧を検出するだけでランプ６での異常の有無を判断することができる。そして、非常時においてランプ６で異常が発生したときは、制御回路７は、スイッチング素子Ｑ１及びスイッチング素子Ｑ２の電流を制御して、定電流回路９ａが破壊しない程度の電流でランプ６を点灯させることが可能になっている。なお、定電流回路９ａをランプ６を構成するすべての列に用いてもよく、また各列を別構成にしてもよい。
【００３８】
図４（ｂ）に示す定電流回路９ｂでは、ランプ６を構成する直列に接続されたＬＥＤは、スイッチング素子Ｑ４のコレクタに接続している。この点を図４（ａ）と同じくＶR とする。また、抵抗Ｒ１２は、ＬＥＤとスイッチング素子Ｑ４との間に接続し、抵抗Ｒ１３と直列に接続している。制御回路７は、抵抗Ｒ１２と抵抗Ｒ１３との接続点（Ｂ点）に接続している。すなわち、制御回路７は、このＢ点の電圧を検出することでランプ６の異常の有無を判断する。
【００３９】
スイッチング素子Ｑ４のエミッタは、抵抗Ｒ１１に接続されている。そして、スイッチング素子Ｑ４のベースは、オペアンプＩＣの出力端子と接続されている。また、スイッチング素子Ｑ４と抵抗Ｒ１１との間は、オペアンプＩＣの反転入力端子に接続している。制御回路７は、スイッチング素子Ｑ５のベースと接続して、電流制御する。このスイッチング素子Ｑ５のコレクタは、抵抗Ｒ９に接続されている。抵抗Ｒ９は、抵抗Ｒ８と直列に接続している。
【００４０】
オペアンプＩＣの非反転入力端子は、抵抗８と抵抗９との間に接続している。また、非反転入力端子は、抵抗Ｒ９と並列になるように抵抗Ｒ１０と接続している。なお、スイッチング素子Ｑ５のエミッタと抵抗Ｒ１０と抵抗Ｒ１１と抵抗Ｒ１３とは、ツェナーダイオードＤＺ２に接続するようになっている。
【００４１】
このように構成すれば、制御回路７は、Ｂ点の電圧を検出するだけでランプ６での異常の有無を判断することができる。そして、非常時においてランプ６で異常が発生したときは、制御回路７は、スイッチング素子Ｑ５の電流のみを制御して、定電流回路９ｂが破壊しない程度の電流でランプ６を点灯させることが可能になっている。なお、定電流回路９ｂをランプ６を構成するすべての列に用いてもよく、また各列を別構成にしてもよい。
【００４２】
図４（ｃ）に示す定電流回路９ｃでは、ランプ６を構成する直列に接続されたＬＥＤは、スイッチング素子Ｑ６のコレクタに接続している。スイッチング素子Ｑ６のエミッタは、抵抗Ｒ１５に接続し、ベースは制御回路７に接続している。抵抗Ｒ１５は、ツェナーダイオードＤＺ３に接続するようになっている。このツェナーダイオードＤＺ３には、抵抗Ｒ１４が直列に接続されている。ここでは、スイッチング素子Ｑ６の近傍に温度検出手段ＳＲ１が設けられており、温度検出手段ＳＲ１の情報が制御回路７で検出されるようになっている。
【００４３】
すなわち、制御回路７は、温度検出手段ＳＲ１の温度情報を検出することでランプ６の異常の有無を判断する。この温度検出手段ＳＲ１は、定電流回路９ｃの構成部品の温度を検出できるものであればよく、特に限定するものではない。たとえば、サーミスタ等で構成するとよい。また、スイッチング素子Ｑ６の近傍に１つ設けた場合を例に示すが、これに限定するものではなく、複数設けても構わない。
【００４４】
このように構成すれば、制御回路７は、温度検出手段ＳＲ１の温度を検出するだけでランプ６での異常の有無を判断することができる。そして、非常時においてランプ６で異常が発生したときは、制御回路７は、スイッチング素子Ｑ６の電流のみを制御して、定電流回路９ｃが破壊しない程度の電流でランプ６を点灯させることが可能になっている。なお、定電流回路９ｃをランプ６を構成するすべての列に用いてもよく、また各列を別構成にしてもよい。
【００４５】
定電流回路９に設けられているスイッチング素子Ｑ１〜スイッチング素子Ｑ６がトランジスタである場合を例に説明したが、これに限定するものではない。たとえば、ＭＯＳＦＥＴ等のスイッチング素子で構成してもよい。また、定電流回路９の構成例をそれぞれ独立に設けた場合を例に説明したが、これに限定するものではない。たとえば、それぞれを組み合わせて１つの定電流回路９としてもよく、他の構成部品を追加して構成してもよい。
【００４６】
次に、誘導灯点灯装置５０の動作について説明する。
常用時において、商用電源Ｅは、常用時電源回路１で降圧、整流、平滑されて直流電源となってランプ６に供給される。同時に、充電回路２に供給されてバッテリ３を充電する。この直流電源の制御は、制御回路７が行っている。このとき、制御回路７は、表示手段８の充電モニタ（ａ）とランプモニタ（ｂ）を点灯・消灯・点滅させる。したがって、誘導灯点灯装置５０の現状を一見して把握することが可能になっている。
【００４７】
ランプ６が正常に点灯されている場合は、定電流回路９には所定の電圧で電流が流れるので、制御回路７は、ランプ６に異常が発生していないと判断する。また、ランプ６を構成するＬＥＤの１個にでも短絡異常が発生した場合は、定電流回路９では出力電圧が変化するので、制御回路７は、ランプ６に異常が発生していると判断できる。この出力電圧に、あらかじめ段階的な閾値を設けておけば、異常ランプ６の特定や、減光・消灯の制御が容易に行い得る。
【００４８】
また、ランプ６を構成するＬＥＤの１個にでもオープン状態の異常が発生した場合は、ＬＥＤはｎ個直列で接続されているために他のＬＥＤにも電流が流れないことになり、その列への電源供給は無駄になる。したがって、制御回路７は、オープン状態の異常が発生した列に接続されている定電流回路９への電源供給を停止させる。このように、ＬＥＤに発生する異常の種類に応じた制御が可能になっており、効率の良い電力消費を実現できる。
【００４９】
非常時においては、常用時電源回路１からの電源供給がないので、制御回路７は、非常時電源回路４に切り替えてバッテリ３からの電源供給でランプ６の点灯を行う。このとき、制御回路７は、表示手段８の充電モニタ（ａ）を消灯させて、ランプ６を継続して点灯させるようになっている。このとき、ランプ６に異常が発生すると、制御回路７は、定電流回路９の保護よりも誘導灯としての役目を優先させるようになっている。
【００５０】
すなわち、ランプ６に発生した異常が定電流回路９を破壊しない程度であれば、非常時電源回路４からの電源供給を停止せずに継続して供給し、ランプ６の点灯を維持するのである。ランプ６のうち数個のＬＥＤに異常が発生し、それらが点灯しなくなったとしても、異常が発生していないＬＥＤを継続点灯させれば、ＬＥＤ全部を消灯させた場合に比較して、誘導灯として役目を果たすことが可能になるからである。
【００５１】
たとえば、ランプ６に異常が発生していない状態の定電流回路９のＶR の電圧を５Ｖとし、ＬＥＤ１個点灯分の電圧を仮に３Ｖとすれば、ＬＥＤが全て無しの場合は０Ｖであり、１個が短絡した場合はその分の電圧が重畳して約８Ｖとなる。すなわち、ＬＥＤの短絡個数に応じて電圧が変化するので、電圧値に閾値を設定しておき、定電流回路９の構成部品を破壊しない程度に電流制御することが可能である。したがって、制御回路７に設けてある図示省略の制御装置等にあらかじめ閾値を設定しておき、その閾値に応じた電流制御を迅速に行うことができる。
【００５２】
点検中においては、制御回路７は、所定時間ランプ６にバッテリ３と非常時電源回路４とから電源を供給し、定電流回路９に流れる電流の電圧を検出し、ランプ６の異常の有無を判断するとともに、バッテリ３の異常や寿命を判断する。このとき（ランプ６の異常及び／又はバッテリ３の異常や寿命と判断したとき）、制御回路７は、表示手段８のランプモニタ（ｂ）及び／又は充電モニタ（ａ）を点灯または点滅させる。また、この点検は、制御回路７に設定されている所定間隔で行ってもよく、遠隔制御装置からの指示や作業員等からの直接指示に基づいて行うようにしてもよい。
【符号の説明】
【００５３】
１  常用時電源回路、２  充電回路、３  バッテリ、４  非常時電源回路、５  ランプ状態検出回路、６  ランプ、７  制御回路、８  表示手段、９  定電流回路、９ａ  定電流回路、９ｂ  定電流回路、９ｃ  定電流回路、１０  常用時電源遮断回路、１１  表示パネル、１２  表示板ＡＳＳＹ、１３  本体、Ｅ  商用電源、Ｔ１  降圧トランス、Ｄ１  ダイオード、Ｃ１  コンデンサ、Ｖｉｎ  直流電源、Ｑ１〜Ｑ６  スイッチング素子、Ｒ１〜Ｒ１６  抵抗、ＤＺ１〜ＤＺ３  ツェナーダイオード、ＳＲ１  温度検出手段、５０  誘導灯点灯装置。
【図１】
0005478659.tif 000002
【図２】
0005478659.tif 000003
【図３】
0005478659.tif 000004
【図４】
0005478659.tif 000005